【事件の表示】
　特許第２８８７３１７号「カラーフィルター」の請求項２に係る特許に対する特許異議の申立てについて、次のとおり決定する。
【結　論】
　特許第２８８７３１７号の請求項２に係る特許を取り消す。
【理　由】
（１）手続の経緯
　特許第２８８７３１７号の請求項２に係る発明は、昭和６３年７月１４日に特許出願され、平成１１年２月１９日にその特許の設定登録がされ、その後異議申立人斉藤忠により特許異議の申立がなされ、取消理由通知がなされたものである。　
（２）本件発明
　特許第２８８７３１７号の請求項２に係る発明（以下、「本件発明」という。）は、特許明細書及び図面の記載からみて、その特許請求の範囲の請求項２に記載された次の事項により特定されるものである。
「【請求項２】一方の面に微細な凹凸を有する透明基体上の色分解用カラーフィルタ素子を所望する領域以外の領域に遮光層を設け、遮光層を設けない領域に多色の色分解用カラーフィルタ素子を設け、色分解用カラーフィルタ素子及び遮光層上に表面を平坦化した透明な樹脂層を設けてなることを特徴とするカラーフィルタ。」　
（３）引用刊行物記載の発明
　先の取消理由通知において引用した刊行物１（特開昭６３−６０４２５号公報）には、次のような記載がある。
　（ア）「本発明者等は、この様な基板上の段差が強誘電性液晶に対する配向欠陥を発生させる原因となっていることを実験により明らかにした。
　本発明の目的は、上記の配向欠陥の発生を防止し、強誘電性液晶素子が本来もっている高速応答性とメモリー効果特性を充分に発揮することのできる強誘電性液晶素子を提供することにある。」（第３頁右上欄第１９行〜同頁左下欄第５行）
　（イ）「第１図において、強誘電性液晶素子１はガラス板またはプラスチック板などの透明板を用いた基板2と3を有し、その間には強誘電性液晶4が挟持されている。各基板2と3にはマトリクス電極構造を形成するストライプ状のバターン形状の透明電極5と6が配設され、この透明電極の上には配向制御膜7及び8が形成されている。R(赤)，G(緑)，B(青)の各カラーフィルターは、所望の分光特性により各膜厚が設定され、ある程度の段差をもって形成されている。
　一方、必要に応じては、各カラーフィルター画素間隙に遮光層11が形成られる。また、カラーフィルター上には、本発明の低粘度樹脂から形成され画素間段差の平坦化層である第1の透明樹脂層9、および高粘度樹脂から形成され平坦化層およびカラーフィルターの保護層である第2の透明樹脂層10が順次積層される。
　上記の構成による基板では、カラーフィルターの膜厚及び画素間の窪みによる段差が補正されているため、画素上に透明電極、配向制御膜を順に形成しても、基板面をほぼ平坦に保つことができる。」（第４頁左上欄第１行〜同頁右上欄第３行）
　（ウ）「以上説明したように、本発明によれば基板上のカラーフィルター層の膜厚の差がある場合でも、該カラーフィルター層上に平坦化をもたらす低粘度樹脂から形成される第1の透明樹脂層、及び平坦化と保護化をもたらす高粘度樹脂から形成される第2の透明樹脂層を順次積層することにより、カラーフィルターの各画素間に生じる膜厚差上の微小な段差や、各画素間隙より生ずる段差をなくすことが可能となり、配向欠陥の発生を防止することができ、強誘電性液晶の特性を十分に発揮し得る強誘電性液晶素子を提供することができる。」（第７頁右上欄第２〜１２行）
　前記（ア）〜（ウ）の記載事項と第１図の記載からみて、刊行物１には、「透明板を用いた基板上の色分解用カラーフィルタ画素を所望する領域以外の領域に遮光層を設け、遮光層を設けない領域に多色の色分解用カラーフィルタ画素を設け、色分解用カラーフィルタ画素及び遮光層上に表面を平坦化した第１および第２の透明樹脂層を設けてなることを特徴とするカラーフィルタ」が記載されている。　
　同刊行物２（特開昭６１−１４３７９１号公報）には、次のような記載がある。
　（エ）「本発明は、上記に鑑みて、液晶表示パネルの視野角依存性を問題点とし、コントラストが良く、視野角による色変化の少ないカラー液晶表示装置を提供することを目的とするものである。
　[問題を解決するための手段]
　本発明において、上記の問題点を解決するために講じられた手段は、光源側基板と表示側基板との間に挟持された液晶層構造部へ光を透過させ、カラー画像を表示するカラー液晶表示装置において、表示側基板の液晶層構造部へ接する面もしくはその反対側面のいずれか又は双方に光散乱面を形成したことである。」（第２頁左下欄第１９行〜同頁右下欄第１０行）
　（オ）「第1図は、本発明によるカラー液晶表示パネルの一実施例の構造を示す縦断面図である。第1図において、カラー液晶表示パネルは、基板Sと別な基板15に挟持された層構造に形成され、その層構造は基板Ｓ側から、液晶駆動用のＴＦＴ１６、絶縁膜１７、液晶層１８、配向膜１９、カラー・フィルタ２０、.透明電極２１で構成されている。基板１５の透明電極21側の表面が、本発明による光散乱機能を有するもので、光を散乱するために、基板表面に凹凸状態が設けられている、凹凸の形成には 、ガラス基板の場合であれば、フッ酸系溶液による化学的腐蝕方法もしくは機械的研磨方法が一般的である。本実施例では、これらの方法によりフロスト加工を施したガラス基板を使用している。前記基板S側から照射され、液晶層を透過した光が、この散乱面で散乱させられることにより、基板15を通過した後の出射状態も多様化し、視野角への依存性は減少する。即ち、カラー液晶表示装置の視野角は拡大される。」（第３頁右上欄第１〜１９行）
　（カ）「また第１図の実施例において、凹凸により基板の表面積が増すため、その表面に透明電極やカラー・フィルタなどを膜形成する際に、密着性や耐久性が向上するという効果が得られる。」（第３頁左下欄第２０行〜同頁右下欄第３行）
　前記（エ）〜（カ）の記載事項と第１図の記載からみて、刊行物２には、一方の面に凹凸を有するガラス基板を備えたカラーフィルタが記載されている。　
　先の取消理由中に記載された参考資料１〔実願昭６０−４１０７４号（実開昭６１−１５７９２９号）のマイクロフィルム〕には、次のような記載がある。
　（キ）「液晶を利用したカラー表示装置」（考案の名称）
　（ク）「この考案はこうした従来例における欠点を解決するためのもので、カラーフィルタを透過する光が散乱するようにして正面方向での特性が斜め方向にも反映されるようにしたものである。
　[実施例]
　対向して設けたガラス基板１１，１２の一方の基板12の内側は梨地処理され光散乱面となっている。この基板12の散乱面に接してカラーフィルタ13が設けられている。このカラーフィル夕１３の上は、赤、緑、青の三色にマトリックス状に染め分けられている。このカラーフィルタ１３の上は絶縁膜１４で被覆されさらにその上に透明共通電極１５が形成されている。他方のガラス基板１１の対向面には画素透明電極１６が設けられている。両ガラス基板１１，１２はシール１７を挟んでセルを構成し、中にゲスト・ホスト型液晶１８が封入されている。19は偏光板、20はバックライトである。」（第４頁第１３行〜第５頁第１０行）
　前記（キ）及び（ク）の記載事項と第１図の記載からみて、参考資料１には、一方の面を梨地処理されたガラス基板を備えたカラーフィルタが記載されている。　
　同参考資料２〔実願昭５７−２７３３号（実開昭５８−１０６８５０号）のマイクロフィルム〕には、次のような記載がある。
　（ケ）「本考案は、上述のような従来技術の欠点をなくし、視認性の高い表示パネルを提供することを目的とする。
　本考案は、表示パネルを構成する透光性面板において、少なくとも片面に凹凸を設けてつや消しをほどこして外光を乱反射させることにより(無反射化 )、パネル面前の物体が面板上に写し出されることを阻止し、安定かつ安価に表示の視認性を高めたことを特徴とする。」（第２頁第１２〜２０行）
　（コ）「表示部１００を除いて、前記面板の裏面全体にブラックマトリックス９０を設ける。表示部１００にはカラー表示の場合、必要な発光色を呈するけい光体を印刷等により設ける。
　なお、前記面板６０は、通常の光沢のある状態では、面板の裏面が黒色になっているために、面板は鏡状となり、面前の物体が写し出されて視認性を低下させてしまう。この対策として、前記面板の少なくとも片面に、フッ酸混合水溶液等との化学反応を利用して微小な凹凸を設け(光の透過率95〜75%程度に)、つや消しをほどこす。このような加工した面板を用いると、外光を乱反射させて(無反射化）、面板上に外影は写らなくなり、さらに、表示のためのけい光体の発光による内光も通過する(透過率 95 〜75 %程度 )ので、鮮明な表示特性が得られる。」（第４頁第１０行〜第５頁第５行）
　（サ）「以上説明した如く、本考案によれば、表示パネルを構成する透光性面板の少なくとも片面に、化学反応を用いて凹凸を設けて、つや消し加工をほどこしたことにより、面板の裏面を黒色化しても、外光が乱反射されるので面板に外影は写らなく、.従来の如き変色や変形等の問題もなく、安定かつ安価に表示の視認性を高めることができる。
　さらに、表示の縁取りや名称等を透光性面板に設けることにより、さらに一段と表示の視認性等を向上させることができる。
　なお、本考案は上述した直流ガス放電形カラーバーグラフパネルに限らず、同形のマトリックスパネル、交流形ガス放電パネル、けい光表示管、エレクトロルミネセンス、液晶等の表示パネルに適用できることは述べるまででもない。」（第５頁第１２行〜第６頁６行）
　前記（ケ）〜（サ）の記載事項と第１図（ロ）の記載からみて、参考資料２には、参考資料２に記載の発明が、液晶等の表示パネルに適用できるものであること、及び、透光性面板の片面に微小な凹凸を設けることによって、外光を乱反射させて（無反射化）、鮮明な表示特性を得るという効果が記載されている。　
（４ー１）対比
　本件発明と刊行物１記載の発明とを対比する。
　刊行物１記載の発明における「透明板を用いた基板」、「カラーフィルター画素」、及び「第１および第２の透明樹脂層」は、本件発明における「透明基体」、「カラーフィルター素子」、及び「透明な樹脂層」に、それぞれ相当するものであるから、本件発明と刊行物１記載の発明は、「透明基体上の色分解用カラーフィルタ素子を所望する領域以外の領域に遮光層を設け、遮光層を設けない領域に多色の色分解用カラーフィルタ素子を設け、色分解用カラーフィルタ素子及び遮光層上に表面を平坦化した透明な樹脂層を設けてなることを特徴とするカラーフィルタ」という点で両者の構成は一致し、次の点で両者の構成は相違する。　
　相違点：本件発明が、「基体が一方の面に微細な凹凸を有する」のに対して、刊行物１記載の発明には、そのことについての記載がない点で両者の構成は相違する。
（４−２）判断
　刊行物２は液晶表示装置であって、液晶表示装置のガラス基板が透明であること、及び、液晶表示装置の基板面の凹凸が微細なものであることは、周知であり、刊行物２記載の「基板」は、本件発明の「基体」に相当するものであるので、刊行物２には「一方の面に微細な凹凸を有する透明基体」を備えたカラーフィルタが記載されている。
　参考資料１は液晶表示装置であって、液晶表示装置のガラス基板が透明であること、及び、基板面の梨地処理が微細な凹凸を有することは、周知であり、参考資料１記載の「基板」は、本件発明の「基体」に相当するものであるので、参考資料１には「一方の面に微細な凹凸を有する透明基体」を備えたカラーフィルタが記載されている。
　参考資料２記載の「透光性面板」は、本件発明の「透明基体」に相当するものであるので、参考資料２には、液晶等の表示パネルに適用できるものであること、及び、透明基体の一方の面に微細な凹凸を設けることによって、外光を乱反射させて（無反射化）、鮮明な表示特性を得るという効果が記載されている。
　上記相違点の「基体が一方の面に微細な凹凸を有する」点は、刊行物２、及び参考資料１に記載されているように周知技術である。
　刊行物１記載の発明において、上記周知技術を採用して本件発明のような構成にしたことに格別の困難性は認められない。
　なお、本件発明の「透明基体」は、液晶装置の表示パネルの一部を形成するものであるが、透明基体の一方の面に微細な凹凸を設けることによって、外光の反射光を拡散させて、全反射の少ない良好な視覚画像を得るという本件発明の効果は、参考資料２にも同様な効果が記載されているように、本件出願前に知られている効果であるので、本件発明の上記相違点に基づく効果は、刊行物２及び参考資料から当業者が容易に予測できるものである。　
（５）むすび
　以上のとおり、本件請求項２に係る発明は上記刊行物１に記載された発明、及び周知技術に基づいて当業者が容易に発明をすることができたものであるから、本件請求項２に係る発明の特許は、特許法第２９条第２項の規定により特許を受けることができない。
　したがって、本件請求項２に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年５月２６日（２０００．５．２６）